(57)【要約】【課題】簡単な手法で透明感や立体感を表現できる斬新な切り絵の制作方法を提供する。【解決手段】一枚の原画を作成し、その原画の絵柄を例えばスキャナでＰＣに取り込み、カラープリンタによって原画に基く絵柄を異なる色彩で複数枚の用紙に印刷する。そして、その用紙の中から任意の絵柄を切り取り、切り取った絵柄片を、絵柄に合わせて一部を重ねるように貼り合わせて切り絵を制作する。【効果】上記手段によって制作された切り絵は、色彩の異なる２枚の絵柄片ＡとＢの重なり部分において、上側の絵柄片Ｂから下側の絵柄片Ａがあたかも透けているかのように見える立体的な仕上がりとなり、この手法を用いることよって簡単に透明感や立体感のある切り絵を制作することができる。【選択図】  図６
2005349814.tif 000002
【特許請求の範囲】
【請求項１】
一枚の原画を作成し、その原画に基く絵柄を異なる色彩で複数枚の用紙に複製し、その用紙の中から任意の絵柄を切り取り、切り取った絵柄片を、絵柄に合わせて一部を重ねるように貼り合わせて制作することを特徴とする切り絵の制作方法。
【請求項２】
上記原画の絵柄をスキャナでＰＣに取り込み、プリンタで複数枚の用紙に印刷するようにしたことを特徴とする請求項１に記載の切り絵の制作方法。
【請求項３】
上記用紙には、異なる色に着色された複数枚の用紙を用いることを特徴とする請求項１または２に記載の切り絵の制作方法。
【請求項４】
請求項１〜３の何れか１項に記載の方法によって制作された切り絵。
【発明の詳細な説明】
【発明の詳細な説明】
【技術分野】
【０００１】  本発明は、切り絵の制作方法、およびこの方法によって制作された切り絵に関する。
【背景技術】
【０００２】  従来、切り絵として、着色した用紙を任意の形状に切り取り、その切り取り片を自在に貼り合わせて描画する手法がある。
【発明の開示】
【発明が解決しようとする課題】
【０００３】  しかしながら、従来のような単純な切り絵の手法では、透明感や立体感を効果的に表現することは難しかった。【０００４】  本発明は斯かる点に鑑みてなされたもので、簡単な手法で透明感や立体感を表現できる新たな切り絵の制作方法を提供することを目的としている。
【課題を解決するための手段】
【０００５】  上記の目的を達成するために本発明は、一枚の原画を作成し、その原画の絵柄を例えばスキャナでＰＣに取り込み、プリンタによって原画に基く絵柄を異なる色彩で複数枚の用紙に印刷し、その用紙の中から任意の絵柄を切り取り、切り取った絵柄片を、絵柄に合わせて一部を重ねるように貼り合わせて切り絵を制作するようにしたものである。
【発明の効果】
【０００６】  本発明によれば、簡単な手法で透明感や立体感を効果的に表現することができ、高品質な切り絵を制作することができる。
【発明を実施するための最良の形態】
【０００７】  以下、図面を参照しながら本発明の好適な実施例について詳細に説明する。【０００８】  図１は、本実施例で用いるＰＣシステムの構成を示す。
このＰＣシステムは、ＰＣ（パーソナルコンピュータ）１を主体とし、これにスキャナ２とカラープリンタ３を接続して構成される。【０００９】  本発明では先ず、一枚の原画を作成する。この原画は、手で描いたものでもよいし、従来の切り絵と同じように用紙を切って作ったものでもよい。
この原画の例を図２に示す。ここで示す原画４には、２枚の葉ＡとＢが描かれており、その一部分が重なり合った絵柄となっている。【００１０】  そして、この原画４を上記ＰＣシステムのスキャナ２にセットし、このスキャナ２で原画４の絵柄を読み取ってＰＣ１に取り込むようにする。ＰＣ１では、画像処理アプリケーションを用いて絵柄のコントラストや色調を調整した後、その絵柄をカラープリンタ３で複数枚（本実施例では２枚）の用紙５と６に印刷する。【００１１】  この印刷においては、２枚の用紙５と６で異なる色彩が用いられる。即ちこの場合、ＰＣ１の操作によって用紙毎に色を変えて印刷を行うようにする。また、異なる色に着色された複数枚の用紙を用意し、これに印刷を行うようにしてもよい。
この印刷された用紙の例を図３示す。このように２枚の用紙５と６には、原画４に基いた同一の絵柄（２枚の葉ＡとＢの絵柄）が異なる色彩で複製印刷される。【００１２】  そして、この２枚の用紙５と６の中から任意の絵柄を鋏やカッターなどで切り取り、この切り取った絵柄片を絵柄に合わせて貼り合わせるようにする。即ちこの場合、例えば一方の用紙５からは右側の葉Ａの絵柄を切り取り（図４参照）、他方の用紙６からは左側の葉Ｂの絵柄を切り取る（図５参照）ようにし、この切り取った２枚の絵柄片を、元の絵柄に合わせて、その一部を重ねるように台紙上で糊剤を用いて貼り合わせるようにする。【００１３】  すると、図６及び図７に示すように、色彩の異なる２枚の葉ＡとＢの重なり部分において、上側の葉から下側の葉があたかも透けているかのように見える立体的な仕上がりとなる。即ち、図６の場合は、２枚の葉ＡとＢの重なり部分において上側となる右方の葉Ｂの下に左方の葉Ａが透けているように見え、またこれと反対に図７の場合は、２枚の葉ＡとＢの重なり部分において上側となる左方の葉Ａの下に右方の葉Ｂが透けているように見える（実際は透けているのではなく、透けているように見える部分は、上側の葉の絵柄片に印刷された絵柄の一部である）。【００１４】  こうして本実施例では、簡単な手法で透明感や立体感を効果的に表現することができる。そして、この手法を用いてさらに多くの絵柄を自在に貼り合わせて、一つの切り絵作品を制作する。【００１５】  このように本実施例の切り絵の制作方法は、ＰＣを最大限に活用し、これに昔ながらの切り絵の技法を組み合わせて透明感や立体感を表現する斬新な手法であり、この手法を駆使することによって高品質な切り絵を制作することができるものである。【００１６】  またこの切り絵の制作方法では、ＰＣの操作によって微妙な色を出すことができるので、絵画のようなイメージの切り絵を制作することができる。【００１７】  なお、以上の実施例では、原画の絵柄をスキャナでＰＣに取り込み、カラープリンタで複数枚の用紙に印刷するようにした例を示したが、この方法以外にも、例えばカラーコピー機を用いて原画の絵柄を複数枚の用紙に複製印刷するようにしてもよい。また、原画をスキャナで取り込む方法以外にも、原画そのものをＰＣの描画アプリケーションで作成し、これをカラープリンタで複数枚の用紙に印刷するようにしてもよい。
【図面の簡単な説明】
【００１８】
【図１】実施例の制作方法に用いるＰＣシステムの構成を示す図である。
【図２】実施例の制作方法における原画の例を示す図である。
【図３】同、絵柄が印刷された用紙の例を示す図である
【図４】同、用紙から絵柄片を切り取る工程の説明図である。
【図５】同、他の用紙から絵柄片を切り取る工程の説明図である。
【図６】同、絵柄片を貼り合わせた状態の説明図である。
【図７】同、絵柄片を貼り合わせた状態の他の例の説明図である。
【符号の説明】
【００１９】  １…ＰＣ（パーソナルコンピュータ）、２…スキャナ、３…カラープリンタ、４…原画、５，６…用紙、Ａ，Ｂ…葉の絵柄（絵柄片）
【図１】
2005349814.tif 000003
【図２】
2005349814.tif 000004
【図３】
2005349814.tif 000005
【図４】
2005349814.tif 000006
【図５】
2005349814.tif 000007
【図６】
2005349814.tif 000008
【図７】
2005349814.tif 000009